(57)【要約】【課題】エンジン駆動式空気調和装置の室外機の外装パネルであって、室外機内への浸水防止性能を向上させた外装パネルを提供する。【解決手段】  外装パネル１は、エンジン駆動式空気調和装置ＡＣの室外機Ａ１の外郭の側面部を構成する矩形の枠状部ＦＰに取り付けられる。外装パネル１は、枠状部ＦＰ内の領域の上部を覆う上パネル１０と、枠状部ＦＰ内の領域のうち、上パネル１０によって覆われる部分より下方の部分を覆う下パネル２０と、を備える。上パネル１０の下縁部１１ａ及び下パネル２０の上縁部２１ａの少なくとも一方に、冷媒の循環経路としての冷媒管３Ａが挿通される切り欠き部ＣＵ１，ＣＵ２，ＣＵ３，ＣＬ１，ＣＬ２，ＣＬ３が設けられ、上パネル１０の下縁部１１ａが下パネル２０の上縁部２１ａから見て室外機Ａ１の外側に配置され、上パネル１０の下縁部１１ａ及び下パネル２０のうちの前記切り欠き部を除く部分同士が重ねられている。【選択図】図５
2019090583.tif 000002
【特許請求の範囲】
【請求項１】
エンジン駆動式空気調和装置の室外機の外郭の側面部を構成する矩形の枠状部に取り付けられる外装パネルであって、
前記枠状部内の領域の上部を覆う上パネルと、
前記枠状部内の領域のうち、前記上パネルによって覆われる部分より下方の部分を覆う下パネルと、を備え、
前記上パネルの下縁部及び前記下パネルの上縁部の少なくとも一方に、冷媒の循環経路としての冷媒管が挿通される切り欠き部が設けられ、
前記上パネルの下縁部が前記下パネルの上縁部から見て室外機の外側に配置され、前記上パネルの下縁部及び前記下パネルのうちの前記切り欠き部を除く部分同士が重ねられている、エンジン駆動式空気調和装置の室外機の外装パネル。
【請求項２】
請求項１に記載のエンジン駆動式空気調和装置の室外機の外装パネルにおいて、
前記上パネルの下縁部と前記下パネルの上縁部とが重ねられた部分が締結部材を用いて締結されている、エンジン駆動式空気調和装置の室外機の外装パネル。
【請求項３】
請求項１又は２に記載のエンジン駆動式空気調和装置の室外機の外装パネルにおいて、
前記上パネルの外側面と前記下パネルの外側面とが同一平面内に位置している、エンジン駆動式空気調和装置の室外機の外装パネル。
【請求項４】
請求項１乃至３のうちのいずれか１つに記載のエンジン駆動式空気調和装置の室外機の外装パネルにおいて、
前記上パネルの下縁部及び前記下パネルの上縁部に前記切り欠き部がそれぞれ設けられ、
前記上パネル及び前記下パネルが前記枠状部に取り付けられた状態において、前記上パネルの前記切り欠き部と前記下パネルの前記切り欠き部とが連通し、
前記切り欠き部の内周縁部にグロメットが嵌め込まれている、エンジン駆動式空気調和装置の室外機の外装パネル。
【発明の詳細な説明】
【技術分野】
【０００１】
本発明は、エンジン駆動式空気調和装置の室外機の外装パネルに関する。
【背景技術】
【０００２】
下記特許文献１に記載されているように、エンジン駆動式空気調和装置は知られている。一般に、このような空気調和装置の室外機の外郭は、図９〜図１２に示すように、複数の骨格部材から構成されたフレームと、前記フレームに取り付けられる複数の外装パネルとを備える。フレームの側面部の一部が矩形の枠状に形成されている。前記枠状部に取り付けられる外装パネルは、前記枠状部の内側の領域のうちの上側部分を覆う上パネルと、前記領域のうち上パネルより下方に位置する部分を覆う下パネルからなる。上パネル及び下パネルは、略長方形状の板材からそれぞれ形成される。前記板材の周縁部が本体部（周縁部を除く部分）に対して略直角に曲げられている。つまり、本体部の周縁部から室外機の内側へ延びる周壁部が設けられている。上パネル及び下パネルは、前記本体部が室外機の外側へ向けられ、前記周壁部が室外機の内側に位置するように、前記枠状部に取り付けられる。この状態では、上パネルの周壁部のうちの下側の壁部（下壁部）と、下パネルの周壁部のうちの上側の壁部（上壁部）とが対面している（図１１参照）。
【０００３】
また、下パネルの上壁部及び本体部の上縁部の一部が切り欠かれている。この切り欠き部から、冷媒管が延出している。この切り欠き部には、冷媒管の外周部の損傷を保護するとともに、切り欠き部の内周縁部及び冷媒管の外周縁部に密着して、室外機内への雨水の浸入を抑制するグロメットが嵌め込まれている。
【０００４】
室外機内の空間のうちの上パネルの近傍にて、冷媒管の中間部が所定の方向へ延設されており、上パネルが取り外されると、冷媒管の当該部分が露出する。冷媒管の当該部分にバルブが設けられている。室外機の設置時又は設置後、上パネルを取り外した状態で前記バルブを操作して、冷媒管への冷媒の注入、冷媒の交換などの作業を実施可能である。
【０００５】
また、エンジン駆動式空気調和装置を設置する際、室内機と室外機とは別体として設置場所へ搬送される。この状態では、室外機内において、冷媒管が上パネルの少し下方（下パネルの切り欠き部付近）まで延設されている。室外機が設置場所に載置された状態で、室外機の下パネル（及び上パネル）が取り外される。つぎに、室内機側から室外機側へ延びる冷媒管と室外機内の冷媒管とが溶接される。つぎに、冷媒管の下方から下パネルが上方へ移動されて、下パネルの切り欠き部内に冷媒管が挿入される。つぎに、下パネルが前記枠状部の下側部分に固定される。最後に、切り欠き部にグロメットが嵌め込まれる。
【先行技術文献】
【特許文献】
【０００６】
【特許文献１】特開２００４−２１９０１９号公報
【発明の概要】
【０００７】
ところで、エンジン駆動式空気調和装置の室外機内には、圧縮機及びエンジンが収容されている。これらの装置は潤滑油を用いて潤滑されている。室外機の底部に容器が設けられており、前記潤滑油が圧縮機、エンジン、前記潤滑油を貯留するタンクなどから漏れた場合、その潤滑油が前記容器に受容される。ここで、上記のように、外装パネルの上パネルの下壁部と下パネルの上壁部とが対面しているが、その隙間から雨水が室外機内へ浸入する虞がある（図１１参照）。室外機内に雨水が浸入し、前記容器内に雨水が溜まっている状態で潤滑油が漏れた場合には、その潤滑油が前記容器から溢れ、潤滑油が室外機の外側に漏れ出してしまう虞がある。
【０００８】
本発明は上記問題に対処するためになされたもので、その目的は、エンジン駆動式空気調和装置の室外機の外装パネルであって、室外機内への浸水防止性能を向上させた外装パネルを提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００９】
上記目的を達成するために、本発明の特徴は、エンジン駆動式空気調和装置（ＡＣ）の室外機（Ａ１）の外郭（ＦＭ）の側面部を構成する矩形の枠状部（ＦＰ）に取り付けられる外装パネル（１）であって、前記枠状部内の領域の上部を覆う上パネル（１０）と、前記枠状部内の領域のうち、前記上パネルによって覆われる部分より下方の部分を覆う下パネル（２０）と、を備え、前記上パネルの下縁部（１１ａ）及び前記下パネルの上縁部（２１ａ）の少なくとも一方に、冷媒の循環経路としての冷媒管（Ａ３）が挿通される切り欠き部（ＣＵ１，ＣＵ２，ＣＵ３，ＣＬ１，ＣＬ２，ＣＬ３）が設けられ、前記上パネルの下縁部が前記下パネルの上縁部から見て室外機の外側に配置され、前記上パネルの下縁部及び前記下パネルのうちの前記切り欠き部を除く部分同士が重ねられている、外装パネルとしたことにある。
【００１０】
この場合、前記上パネルの下縁部と前記下パネルの上縁部とが重ねられた部分が締結部材（ＢＴ，ＮＴ）を用いて締結されているとよい。
【００１１】
また、この場合、前記上パネルの外側面と前記下パネルの外側面とが同一平面内に位置しているとよい。
【００１２】
本発明に係るエンジン駆動式空気調和装置の室外機の外装パネルでは、下パネルの上縁部の外側面（室外機の外側へ向けられた面）と上パネルの下縁部の内側面（室外機の内側へ向けられた面）とが重なっている。したがって、上パネルと下パネルとの境界部において、図１１に示すような隙間が形成されない。よって、本発明によれば、室外機内への雨水の浸入防止性能を向上させた外装パネルを提供できる。
【００１３】
また、本発明の他の特徴は、前記上パネルの下縁部及び前記下パネルの上縁部に前記切り欠き部がそれぞれ設けられ、前記上パネル及び前記下パネルが前記枠状部に取り付けられた状態において、前記上パネルの前記切り欠き部と前記下パネルの前記切り欠き部とが連通し、前記切り欠き部の内周縁部にグロメットが嵌め込まれている、エンジン駆動式空気調和装置の室外機の外装パネルとしたことにある。
【００１４】
本発明に係るエンジン駆動式空気調和装置の室外機の外装パネルによれば、グロメットの周囲において、図１２に示すような隙間が形成されない。よって、本発明によれば、室外機内への雨水の浸入防止性能をさらに向上させた外装パネルを提供できる。
【図面の簡単な説明】
【００１５】
【図１】本発明に係るガスエンジン駆動式空気調和装置の概略を示すブロック図である。
【図２】室外機の内部を示す正面図である。
【図３】室外機の外観を示す斜視図である。
【図４】室外機の外装パネル及びその周辺部の分解斜視図である。
【図５】上パネルの下縁部と下パネルの上縁部とが重なって密着した状態を示す断面図である。
【図６】一方の室内機を冷房装置として動作させ、他方の室内機を暖房装置として動作させた場合の冷媒の循環経路を示すブロック図である。
【図７】２つの室内機をいずれも暖房装置として動作させた場合の冷媒の循環経路を示すブロック図である。
【図８】２つの室内機をいずれも冷房装置として動作させた場合の冷媒の循環経路を示すブロック図である。
【図９】従来のエンジン駆動式空気調和装置の室外機の外観を示す斜視図である。
【図１０】従来のエンジン駆動式空気調和装置の室外機の外装パネル及びその周辺部の分解斜視図である。
【図１１】従来のエンジン駆動式空気調和装置の上パネルの下縁部と下パネルの上縁部（切り欠き部を除く部分）との隙間を示す断面図である。
【図１２】従来のエンジン駆動式空気調和装置の上パネルの下縁部とグロメットとの隙間を示す断面図である。
【発明を実施するための形態】
【００１６】
以下、本発明の一実施形態に係る外装パネル１について説明する。まず、外装パネル１が適用されるガスエンジン駆動式空気調和装置ＡＣの概略について説明する。
【００１７】
ガスエンジン駆動式空気調和装置ＡＣは、図１に示すように、室外機Ａ１と室内機Ａ２ａ，Ａ２ｂとを備える。また、ガスエンジン駆動式空気調和装置ＡＣは、室外機Ａ１、室内機Ａ２ａ及び室内機Ａ２ｂの間を循環する冷媒の流路としての冷媒管Ａ３を備える。つまり、室外機Ａ１、室内機Ａ２ａ及び室内機Ａ２ｂの各構成部品が、冷媒管Ａ３を構成する複数の管で接続されている。ガスエンジン駆動式空気調和装置ＡＣは、一方の室内機（例えば室内機Ａ２ａ）を冷房装置として動作させると同時に、他方の室内機（例えば、室内機Ａ２ｂ）を暖房装置として動作させることができるように構成されている。室外機Ａ１及び室内機Ａ２ａ，Ａ２ｂ内の装置の構成は周知の空気調和装置と同様である。以下、室外機Ａ１及び室内機Ａ２ａ，Ａ２ｂの構成について簡単に説明しておく。なお、本実施形態は、２台の室内機を備えた例について説明するが、ガスエンジン駆動式空気調和装置ＡＣが、本実施形態より多くの室内機を備えていても良い。
【００１８】
室外機Ａ１は、コンプレッサーＡ１１、オイルセパレーターＡ１２、四方切替弁Ａ１３、室外熱交換器Ａ１４、膨張弁Ａ１５、レシーバーＡ１６、アキュムレーターＡ１７、逆止弁Ａ１８及びオイルパンＡ１９（図２参照）、並びにハウジングＨ（図３参照）を備える。コンプレッサーＡ１１は、図示しないガスエンジンを含み、ガスエンジンの回転駆動力によって駆動される。コンプレッサーＡ１１（ガスエンジンを含む）の摺動部が潤滑油を用いて潤滑される。コンプレッサーＡ１１は吸入口及び吐出口を有する。コンプレッサーＡ１１は、吸入口から低圧ガス状の冷媒を吸入し、吸入した冷媒を圧縮して吐出口から吐出する。オイルセパレーターＡ１２は、コンプレッサーＡ１１から吐出された冷媒に含まれる潤滑油を分離して貯留する。
【００１９】
四方切替弁Ａ１３は４個のポートＰ１〜Ｐ４を有する。四方切替弁Ａ１３は、ポートＰ１とポートＰ４とが連通し、且つポートＰ２とポートＰ３とが連通した第１の状態（図６参照）と、ポートＰ１とポートＰ２とが連通し、且つポートＰ３とポートＰ４とが連通した第２の状態（図７参照）とを切り替え可能である。
【００２０】
室外熱交換器Ａ１４は、冷媒管Ａ３内の冷媒を導入するとともに、導入した冷媒と周囲空気とを熱交換する。膨張弁Ａ１５は、冷媒を減圧させる。レシーバーＡ１６は、液化した冷媒を一時的に貯留する。
【００２１】
アキュムレーターＡ１７は、液状の冷媒とガス状の冷媒とを分離する。  逆止弁Ａ１８は、冷媒の所定の方向への流れを許容し、反対方向への流れを禁止する。なお、オイルセパレーターＡ１２、レシーバーＡ１６及びアキュムレーターＡ１７は、それぞれ上下方向（鉛直方向）に延びる略円筒状に形成されている。
【００２２】
オイルパンＡ１９は、室外機Ａ１の底部に設けられている。オイルパンＡ１９は、皿状部材である。コンプレッサーＡ１１（ガスエンジンを含む）の潤滑湯が漏れた場合、それらの潤滑油を受容する。コンプレッサーＡ１１の全ての潤滑油が漏れてしまった場合であっても、それらを全て受容可能な程度に、オイルパンＡ１９の容積が設定されている。
【００２３】
室内機Ａ２ａ，Ａ２ｂの構成は同一である。室内機Ａ２ａ，Ａ２ｂは、室内熱交換器Ａ２１、膨張弁Ａ２２及び分流装置Ａ２３をそれぞれ備える。室内熱交換器Ａ２１は、冷媒を導入するとともに、導入した冷媒と周囲空気とを熱交換する。膨張弁Ａ２２は、冷媒を減圧させる。分流装置Ａ２３は、２つの開閉弁Ａ２３ａ，Ａ２３ｂを備える。
【００２４】
つぎに、ガスエンジン駆動式空気調和装置ＡＣの各構成部品の接続関係について説明する。コンプレッサーＡ１１の吐出口と四方切替弁Ａ１３のポートＰ１とがオイルセパレーターＡ１２を介して接続されている。四方切替弁Ａ１３のポートＰ４と室外熱交換器Ａ１４の一端とが接続されている。四方切替弁Ａ１３のポートＰ３と逆止弁Ａ１８の吸入口とが接続されている。逆止弁Ａ１８の吐出口とコンプレッサーＡ１１の吸入口とが、アキュムレーターＡ１７を介して接続されている。なお、四方切替弁Ａ１３のポートＰ２は閉鎖されている。
【００２５】
また、室外熱交換器Ａ１４の他端（四方切替弁Ａ１３とは反対側）と膨張弁Ａ１５とが接続されている。膨張弁Ａ１５と膨張弁Ａ２２とが、レシーバーＡ１６を介して接続されている。
【００２６】
また、室内熱交換器Ａ２１の一端が、開閉弁Ａ２３ａを介して、四方切替弁Ａ１３とオイルセパレーターＡ１２との中間点（分岐点Ａ３ａ）に接続されている。また、室内熱交換器Ａ２１の一端が開閉弁Ａ２３ｂを介して、逆止弁Ａ１８とアキュムレーターＡ１７との中間点（分岐点Ａ３ｂ）に接続されている。また、室内熱交換器Ａ２１の他端が、膨張弁Ａ２２に接続されている。
【００２７】
ここで、冷媒管Ａ３のうち、液状の冷媒が流通する部分を液管Ａ３１と呼ぶ。また、冷媒管Ａ３のうち、高圧ガス状の冷媒が流通する部分を高圧ガス管Ａ３２と呼び、低圧ガス状の冷媒が流通する部分を低圧ガス管Ａ３３と呼ぶ。
【００２８】
液管Ａ３１、高圧ガス管Ａ３２及び低圧ガス管Ａ３３の中間部が、レシーバーＡ１６の外周面であって、室外機Ａ１の外側を向く部分に沿って上下方向へ延設されている。すなわち、液管Ａ３１、高圧ガス管Ａ３２及び低圧ガス管Ａ３３の中間部は、室外機Ａ１の側面部に沿って互いに平行に配列されている（図２参照）。以下、液管Ａ３１、高圧ガス管Ａ３２及び低圧ガス管Ａ３３の並び方向を左右方向と呼ぶ。また、上下方向へ垂直且つ左右方向へ垂直な方向を前後方向と呼ぶ。なお、室外機Ａ１の外側を前側と定義し、室外機Ａ１の内側を後側と定義する。
【００２９】
液管Ａ３１、高圧ガス管Ａ３２及び低圧ガス管Ａ３３の中間部のうちの室外機Ａ１側の部分と、室内機Ａ２ａ，Ａ２ｂ側の部分とが、ボールバルブＢＶ１，ＢＶ２，ＢＶ３を介して接続されている。具体的には、ボールバルブＢＶ１は、レシーバーＡ１６と膨張弁Ａ２２との間に設けられている。また、ボールバルブＢＶ２は、分岐点Ａ３ａと開閉弁Ａ２３ａとの間に設けられている。また、ボールバルブＢＶ３は、分岐点Ａ３ｂと開閉弁Ａ２３ｂとの間に設けられている。ボールバルブＢＶ１，ＢＶ２，ＢＶ３は、ボールバルブステーを介してレシーバーＡ１６に支持されている。
【００３０】
上記の室外機Ａ１を構成する各種装置（コンプレッサーＡ１１〜オイルパンＡ１９）、それらを接続する冷媒管Ａ３、ボールバルブＢＶ１，ＢＶ２，ＢＶ３がハウジングＨ内に収容されている（図３及び図４参照）。ハウジングＨは、複数の骨格部材を組み合わせて構成された略直方体状のフレームＦＭを備える。そして、フレームＦＭに複数の外装パネル１，２，・・・が取り付けられ、フレームＦＭ内に収容された各種装置及び部品が覆われる。フレームＦＭのうち、ボールバルブＢＶ１，ＢＶ２，ＢＶ３の近傍に位置する部分が矩形の枠状に形成されている。つまり、この枠状部ＦＰは、上下方向へ延びる板状の骨格部材ＢＨ，ＢＨと、左右方向へ延びるＢＷ，ＢＷとから構成される。枠状部ＦＰの正面視（室外機の前方から見た状態）において、ボールバルブＢＶ１，ＢＶ２，ＢＶ３が枠状部ＦＰ内に位置している。骨格部材ＢＨには、ねじ孔ＳＵ，ＳＣ，ＳＬが形成されている。ねじ孔ＳＵは、骨格部材ＢＨの上端部に設けられている。ねじ孔ＳＣは、骨格部材ＢＨの上下方向における中央部より少し下方に設けられている。ねじ孔ＳＬは、骨格部材ＢＨの下端部に設けられている。なお、枠状部ＦＰの前面には、シール部材が貼り付けられている。このシール部材は、以下説明する外装パネル１の外周縁部に密着し、外装パネル１の外周縁部からの室外機Ａ１内への雨水の浸入を抑制する。
【００３１】
つぎに、外装パネル１の構成について説明する。外装パネル１は、枠状部ＦＰに取り付けられる。外装パネル１には、円形の貫通孔ＴＨ１，ＴＨ２，ＴＨ３が形成されている。貫通孔ＴＨ１，ＴＨ２，ＴＨ３に、液管Ａ３１、高圧ガス管Ａ３２及び低圧ガス管Ａ３３の中間部であって、前後方向に延びる部分が挿通される。
【００３２】
外装パネル１は、上パネル１０と下パネル２０とからなる。上パネル１０は、枠状部ＦＰの内側の領域のうちの上側部分（液管Ａ３１、高圧ガス管Ａ３２及び低圧ガス管Ａ３３の上下方向における中央部より上方の部分）を覆う。下パネル２０は、枠状部ＦＰの内側の領域のうちの下側部分（液管Ａ３１、高圧ガス管Ａ３２及び低圧ガス管Ａ３３の上下方向における中央部より下方の部分）を覆う。
【００３３】
上パネル１０は、前壁部１１、上壁部１２、右壁部１３及び左壁部１４を有する。前壁部１１は、前後方向に垂直であって、且つ左右方向へ延びる長方形の板状部である。上壁部１２は、前壁部１１の上端から後方（室外機の内側）へ延設されている。右壁部１３及び左壁部１４は、前壁部１１の右端及び左端から後方へそれぞれ延設されている。前壁部１１の下縁部１１ａには、上方へ入り込む半円形の切り欠き部ＣＵ１，ＣＵ２，ＣＵ３が形成されている。切り欠き部ＣＵ１，ＣＵ２，ＣＵ３は、貫通孔ＴＨ１，ＴＨ２，ＴＨ３の上半部に相当する。切り欠き部ＣＵ１，ＣＵ２，ＣＵ３には、半円弧形のグロメットＧＵ１，ＧＵ２，ＧＵ３がそれぞれ嵌め込まれる。グロメットＧＵ１，ＧＵ２，ＧＵ３は、合成樹脂製又は合成ゴム製である。また、前壁部１１の右縁部及び左縁部には、上下一対の貫通孔ＨＵ，ＨＣがそれぞれ形成されている。貫通孔ＨＵ，ＨＣは、ねじ孔ＳＵ，ＳＣに対応している。また、切り欠き部ＣＵ１と切り欠き部ＣＵ２との間、及び切り欠き部ＣＵ３と切り欠き部ＣＵ２との間に、貫通孔ＨＸ，ＨＸが形成されている。
【００３４】
左右方向へ延びる長方形の母材（板材）に切り欠き部ＣＵ１，ＣＵ２，ＣＵ３及び貫通孔ＨＵ，ＨＣ，ＨＸを形成しておき、前記母材の上縁部、右縁部及び左縁部を曲げ加工することにより上パネル１０が形成される。
【００３５】
下パネル２０は、前壁部２１、右壁部２２及び左壁部２３を有する。前壁部２１は、前後方向に垂直であって、且つ左右方向へ延びる長方形の板状部である。前壁部２１の上縁部２１ａは、その下方に位置する本体部２１ｂに比べて少し後方に位置している。つまり、上縁部２１ａと本体部２１ｂとの間には段差が形成されている。右壁部２２及び左壁部２３は、本体部２１ｂの右端及び左端から後方へそれぞれ延設されている。
【００３６】
上縁部２１ａには、下方へ入り込む長方形の切り欠き部ＣＣ１，ＣＣ２，ＣＣ３が形成されている。本体部２１ｂには、切り欠き部ＣＣ１，ＣＣ２，ＣＣ３からさらに下方へ入り込む半円形の切り欠き部ＣＬ１，ＣＬ２，ＣＬ３が形成されている。切り欠き部ＣＬ１，ＣＬ２，ＣＬ３は、貫通孔ＴＨ１，ＴＨ２，ＴＨ３の下半部に相当する。切り欠き部ＣＬ１，ＣＬ２，ＣＬ３には、半円弧形のグロメットＧＬ１，ＧＬ２，ＧＬ３がそれぞれ嵌め込まれる。グロメットＧＬ１，ＧＬ２，ＧＬ３は、合成樹脂製又は合成ゴム製である。また、本体部２１ｂの右縁部及び左縁部には、貫通孔ＨＬがそれぞれ形成されている。貫通孔ＨＬは、ねじ孔ＳＬに対応している。また、切り欠き部ＣＬ１と切り欠き部ＣＬ２との間、及び切り欠き部ＣＬ３と切り欠き部ＣＬ２との間に、貫通孔ＨＹ，ＨＹが形成されている。貫通孔ＨＹ，ＨＹは、貫通孔ＨＸ，ＨＸにそれぞれ対応している。上縁部２１ａの後面には、ナットＮＴ，ＮＴが溶接されている。ナットＮＴ，ＮＴと貫通孔ＨＹ，ＨＹとが同軸配置されている（図５参照）。
【００３７】
左右方向へ延びる長方形の母材（板材）に切り欠き部ＣＣ１，ＣＣ２，ＣＣ３及び切り欠き部ＣＬ１，ＣＬ２，ＣＬ３に相当する切り欠き部、並びに貫通孔ＨＬ，ＨＬ及び貫通孔ＨＹ，ＨＹを形成しておき、前記母材の上縁部、右縁部及び左縁部を曲げ加工することにより下パネル２０が形成される。
【００３８】
ガスエンジン駆動式空気調和装置ＡＣを設置する際、室外機Ａ１と室内機Ａ２ａ，Ａ２ｂとは別体として設置場所へ搬送される。この状態では、室外機Ａ１内において、液管Ａ３１、高圧ガス管Ａ３２及び低圧ガス管Ａ３３が外装パネル１の貫通孔ＴＨ１，ＴＨ２，ＴＨ３の後方まで延設されている。室外機Ａ１が設置場所に載置された状態で、室外機Ａ１の外装パネル１が取り外される。つぎに、室内機Ａ２ａ，Ａ２ｂから室外機Ａ１へ延びる液管Ａ３１、高圧ガス管Ａ３２及び低圧ガス管Ａ３３の先端と室外機Ａ１内の液管Ａ３１、高圧ガス管Ａ３２及び低圧ガス管Ａ３３の先端とが溶接される。
【００３９】
つぎに、液管Ａ３１、高圧ガス管Ａ３２及び低圧ガス管Ａ３３の下方から下パネル２０が上方へ移動されて、下パネル２０の切り欠き部ＣＬ１，ＣＬ２，ＣＬ３に、前後方向へ延びる液管Ａ３１、高圧ガス管Ａ３２及び低圧ガス管Ａ３３の下半部が挿入される。その際、グロメットＧＬ１，ＧＬ２，ＧＬ３の内周部が液管Ａ３１、高圧ガス管Ａ３２及び低圧ガス管Ａ３３の外周面に密着するように、グロメットＧＬ１，ＧＬ２，ＧＬ３の内周部を少しトリミングしてもよい。つぎに、貫通孔ＨＬ，ＨＬにボルトＢＴ，ＢＴが挿入され、その先端部がねじ孔ＳＬ，ＳＬに締結される。
【００４０】
つぎに、液管Ａ３１、高圧ガス管Ａ３２及び低圧ガス管Ａ３３の上方から上パネル１０が下方へ移動されて、上パネル１０の切り欠き部ＣＵ１，ＣＵ２，ＣＵ３に、前後方向へ延びる液管Ａ３１、高圧ガス管Ａ３２及び低圧ガス管Ａ３３の上半部が挿入される。その際、グロメットＧＵ１，ＧＵ２，ＧＵ３の内周部が液管Ａ３１、高圧ガス管Ａ３２及び低圧ガス管Ａ３３の外周面に密着するように、グロメットＧＵ１，ＧＵ２，ＧＵ３の内周部を少しトリミングしてもよい。
【００４１】
つぎに、各貫通孔ＨＵ，ＨＣにボルトＢＴが挿入され、その先端部がねじ孔ＳＨ，ＳＣに締結される。この状態において、下パネル２０の上縁部２１ａが上パネル１０の下縁部１１ａの後方に位置し、貫通孔ＨＹ，ＨＹが貫通孔ＨＸ，ＨＸの後方に位置している。また、切り欠き部ＣＵ１，ＣＵ２，ＣＵ３と切り欠き部ＣＬ１，ＣＬ２，ＣＬ３とが連通して円形の貫通孔ＴＨ１，ＴＨ２，ＴＨ３が形成される。言い換えれば、貫通孔ＴＨ１，ＴＨ２，ＴＨ３は、上パネル１０と下パネル２０とに跨っている。また、半円弧形のグロメットＧＬ１，ＧＬ２，ＧＬ３とグロメットＧＵ１，ＧＵ２，ＧＵ３との端部同士が密着し、円形のグロメットＧ１，Ｇ２，Ｇ３が形成される。このグロメットＧ１，Ｇ２，Ｇ３が液管Ａ３１、高圧ガス管Ａ３２及び低圧ガス管Ａ３３の外周部に密着している。
【００４２】
最後に、貫通孔ＨＸ，ＨＸ及び貫通孔ＨＹ，ＨＹにボルトＢＴがそれぞれ挿入され、それらの先端部がナットＮＴ，ＮＴに締結される（図５参照）。これにより、下パネル２０の上縁部１２ａと上パネル１０の前壁部１１の下縁部１１ａとが密着する。この状態では、上パネル１０（前壁部１１）の前面と、下パネル２０（前壁部２１の本体部２１ｂ）の前面とが同一平面内に位置している。
【００４３】
ガスエンジン駆動式空気調和装置ＡＣが設置された後、上パネル１０を取り外せば、ボールバルブＢＶ１，ＢＶ２，ＢＶ３が露出する。この状態でボールバルブＢＶ１，ＢＶ２，ＢＶ３を操作して、冷媒管Ａ３への冷媒の注入、冷媒の交換などの作業を実施可能である。
【００４４】
つぎに、上記のように構成したガスエンジン駆動式空気調和装置ＡＣの動作について簡単に説明する。なお、図６乃至図８における開閉弁Ａ２３ａ，Ａ２３ｂのうち、黒く塗りつぶした開閉弁が閉じられている。図６は、室内機Ａ２ａを暖房装置として動作させ、室内機Ａ２ｂを冷房装置として動作させる例を示している。この場合、四方切替弁Ａ１３が第１の状態に設定される。また、室内機Ａ２ａの開閉弁Ａ２３ａが開放され、且つ開閉弁Ａ２３ｂが閉鎖される。一方、室内機Ａ２ｂの開閉弁Ａ２３ａが閉鎖され、且つ開閉弁Ａ２３ｂが開放される。この状態でコンプレッサーＡ１１から吐出された高圧ガス状の冷媒は、オイルセパレーターＡ１２に導入される。オイルセパレーターＡ１２から吐出された冷媒の一部が、高圧ガス管Ａ３２を通り、室内熱交換器Ａ２１に導入される。室内熱交換器Ａ２１に導入された高圧ガス状の冷媒は室内熱交換器Ａ２１内を流通する間に室内空気に熱を放出して凝縮する。このとき冷媒から放出された熱によって室内空気が暖められる。室内空気に熱を放出して凝縮した冷媒は室内熱交換器Ａ２１から排出され、室内機Ａ２ｂの室内熱交換器Ａ２１に導入される。
【００４５】
一方、オイルセパレーターＡ１２から吐出された冷媒のうち、室内熱交換器Ａ２１に導入されなかった冷媒が、四方切替弁Ａ１３を経由して、室外熱交換器Ａ１４に導入される。室外熱交換器Ａ１４に導入された高圧ガス状の冷媒は室外熱交換器Ａ１４内を流通する間に外気に熱を放出して凝縮する。
【００４６】
外気に熱を放出して凝縮した冷媒は一部液化して室外熱交換器Ａ１４から排出される。そして、膨張弁Ａ１５で膨張することにより低圧化され、液管Ａ３１を経由して、室内機Ａ２ｂの室内熱交換器Ａ２１に導入される。なお、上述した室内機Ａ２ａから排出された冷媒も、室内機Ａ２ｂの室内熱交換器Ａ２１に導入される。室内熱交換器Ａ２１に導入された冷媒は室内熱交換器Ａ２１内を流通する間に室内空気の熱を奪って一部蒸発する。このとき冷媒が室内空気の熱を奪うことによって室内空気が冷やされる。
【００４７】
室内空気の熱を奪って一部蒸発した冷媒は室内熱交換器Ａ２１から排出され、低圧ガス管Ａ３３を経由して、アキュムレーターＡ１７に供給される。そして、低圧ガス状の冷媒がコンプレッサーＡ１１の吸入口に帰還する。
【００４８】
また、図７は、室内機Ａ２ａ及び室内機Ａ２ｂをいずれも暖房装置として動作させる例を示している。この場合、同図に矢印で示した経路に沿って冷媒が循環する。また、例えば、図８は、室内機Ａ２ａ及び室内機Ａ２ｂをいずれも冷房装置として動作させる例を示している。この場合、同図に矢印で示した経路に沿って冷媒が循環する。
【００４９】
上記のように、本実施形態に係るガスエンジン駆動式空気調和装置ＡＣの外装パネル１では、下パネル２０の上縁部２１ａの前面と上パネル１０の前壁部１１の下縁部１１ａの後面とが密着している。したがって、上パネル１０と下パネル２０との境界部であって、貫通孔ＴＨ１，ＴＨ２，ＴＨ３を除く部分において、図１１に示すような隙間が形成されない。また、貫通孔ＴＨ１，ＴＨ２，ＴＨ３にはグロメットＧ１，Ｇ２，Ｇ３が装着されている。したがって、グロメットＧ１，Ｇ２，Ｇ３の周囲において、図１２に示すような隙間が形成されない。よって、本実施形態によれば、室外機内への雨水の浸入を抑制できる。
【００５０】
さらに、本発明の実施にあたっては、上記実施形態に限定されるものではなく、本発明の目的を逸脱しない限りにおいて種々の変更が可能である。
【００５１】
例えば、上記実施形態では、グロメットＧ１，Ｇ２，Ｇ３は、その上半部を構成するグロメットＧＵ１，ＧＵ２，ＧＵ３と、その下半部を構成するグロメットＧＬ１，ＧＬ２，ＧＬ３から構成されている。これに代えて、円環状に形成されたグロメットＧ１，Ｇ２，Ｇ３を用いてもよい。この場合、室内機Ａ２ａ，Ａ２ｂから室外機Ａ１へ延びる冷媒管Ａ３の先端部又は室外機Ａ１内の冷媒管Ａ３の先端部に予めグロメットＧ１，Ｇ２，Ｇ３を嵌め込んでおき、その状態で、室外機Ａ１側の冷媒管Ａ３の先端と室内機Ａ２ａ，Ａ２ｂ側の冷媒管Ａ３の先端とを溶接する。そして、グロメットＧ１，Ｇ２，Ｇ３をスライドさせて、貫通孔ＴＨ１，ＴＨ２，ＴＨ３に嵌め込めばよい。
【符号の説明】
【００５２】
１・・・外装パネル、１０・・・上パネル、１１・・・前壁部、１１ａ・・・下縁部、１２・・・上壁部、１２ａ・・・上縁部、１３・・・右壁部、１４・・・左壁部、２０・・・下パネル、２１・・・前壁部、２１ａ・・・上縁部、２１ｂ・・・本体部、２２・・・右壁部、２３・・・左壁部、Ａ１・・・室外機、ＡＣ・・・ガスエンジン駆動式空気調和装置、ＢＴ，ＢＴ・・・ボルト、ＢＶ１，ＢＶ２，ＢＶ３・・・ボールバルブ、ＣＬ１，ＣＬ２，ＣＬ３・・・切り欠き部、ＣＵ１，ＣＵ２，ＣＵ３・・・切り欠き部、ＦＭ・・・フレーム、ＦＰ・・・枠状部、Ｇ１，Ｇ２，Ｇ３・・・グロメット、ＮＴ，ＮＴ・・・ナット、ＴＨ１，ＴＨ２，ＴＨ３・・・貫通孔
【図１】
2019090583.tif 000003
【図２】
2019090583.tif 000004
【図３】
2019090583.tif 000005
【図４】
2019090583.tif 000006
【図５】
2019090583.tif 000007
【図６】
2019090583.tif 000008
【図７】
2019090583.tif 000009
【図８】
2019090583.tif 000010
【図９】
2019090583.tif 000011
【図１０】
2019090583.tif 000012
【図１１】
2019090583.tif 000013
【図１２】
2019090583.tif 000014